(57)【要約】【課題】既存のＰＯＳシステムと連携可能であり、取引者の希望に応じた内容および態様のレシートを発行すること。【解決手段】レシート発行システムＳは、２台のレシートプリンタ１０，２０および管理サーバ３０を備える。レシートプリンタ１０は、会計処理の際にＰＯＳレジスタ４０から会計処理データを取得し、会計処理ＩＤ等を付加してレシートデータを生成する。レシートデータは、管理サーバ３０のレシートデータベース６０に登録される。レシートプリンタ１０は、会計処理ＩＤと購入総計額が印字された簡易レシートＡを発行する。レシートプリンタ２０に会計処理ＩＤを入力すると、レシートデータベース６０から該当するデータが抽出され、購入明細などが印字された詳細レシートＢが発行される。簡易レシートＡおよび詳細レシートＢを電子データにより発行してもよい。【選択図】図１
2009151518.tif 000002
【特許請求の範囲】
【請求項１】
ＰＯＳシステムにおいて取引の決済処理毎に生成される会計処理データに、当該会計処理データを識別するための識別情報を付与してレシートデータを生成する第１工程と、
前記レシートデータをレシートデータベースに登録する第２工程と、
前記識別情報を含む簡易レシートを発行する第３工程と、
前記簡易レシートに含まれる前記識別情報の入力を受け付けて、当該識別情報が付与されている前記レシートデータを前記レシートデータベースから抽出する第４工程と、
前記第４工程において抽出された前記レシートデータの少なくとも一部を含む詳細レシートを発行する第５工程を行うことを特徴とするレシート発行方法。
【請求項２】
請求項１に記載のレシート発行方法において、
前記識別情報の付与、および、前記簡易レシートの発行を、前記ＰＯＳシステムの端末に接続されている第１レシート発行機において行い、
第２レシート発行機において、前記識別情報の入力受け付け、および、前記詳細レシートの発行を行うことを特徴とするレシート発行方法。
【請求項３】
請求項２に記載のレシート発行方法において、
前記レシートデータベースを管理する管理サーバに、前記第１工程において生成された前記レシートデータを前記第１レシート発行機から送ると共に、前記第４工程において入力された前記識別情報を前記第２レシート発行機から送り、
前記管理サーバにおいて、前記第１レシート発行機から受け取った前記レシートデータの前記レシートデータベースへの登録、前記第２レシート発行機から受け取った前記識別情報に基づく前記レシートデータベースの検索、および、当該検索により抽出された前記レシートデータの前記第２レシート発行機への受け渡しを行うことを特徴とするレシート発行方法。
【請求項４】
請求項１ないし３のうちのいずれかの項に記載のレシート発行方法において、
前記簡易レシートおよび前記詳細レシートを、印刷媒体および電子データのうちの少なくとも一方の形態で発行することを特徴とするレシート発行方法。
【請求項５】
請求項１ないし４のうちのいずれかの項に記載のレシート発行方法において、
前記レシートデータを、簡易レシート用データと、詳細レシート用データと、共通データとに分け、
前記簡易レシートに、前記識別情報、前記簡易レシート用データおよび前記共通データを含め、
前記詳細レシートに、前記識別情報、前記詳細レシート用データおよび前記共通データを含めることを特徴とするレシート発行方法。
【請求項６】
請求項１ないし５のいずれかの項に記載のレシート発行方法において、
前記第４工程において抽出された前記レシートデータの内容に関連するサービスデータを、前記詳細レシートに含めることを特徴とするレシート発行方法。
【請求項７】
ＰＯＳシステムと接続可能な第１レシート発行機と、第２レシート発行機を備えたレシート発行システムであって、
前記第１レシート発行機は、
前記ＰＯＳシステムにおいて取引の決済処理毎に生成される会計処理データを前記ＰＯＳシステムの端末から受け取り、当該会計処理データに前記会計処理を識別するための識別情報を付与してレシートデータを生成する処理と、前記識別情報を含む簡易レシートを発行する処理を行い、
前記レシートデータが登録されたレシートデータベースを、前記第１レシート発行機、前記第２レシート発行機、または管理サーバのいずれかにより管理し、
前記第２レシート発行機は、
前記簡易レシートに含まれる前記識別情報の入力を受け付けて、当該識別情報が付与されている前記レシートデータを前記レシートデータベースから取得する処理と、当該取得した前記レシートデータの少なくとも一部を含む詳細レシートを発行する処理を行うことを特徴とするレシート発行システム。
【請求項８】
請求項７に記載のレシート発行システムにおいて、
前記レシートデータベースを管理する前記管理サーバを備え、
当該管理サーバは、前記第１レシート発行機から前記レシートデータを受け取って前記レシートデータベースに登録する処理と、前記第２レシート発行機から前記識別情報を受け取って当該識別情報に基づき前記レシートデータベースを検索する処理と、当該検索により抽出された前記レシートデータを前記第２レシート発行機へ受け渡す処理を行うことを特徴とするレシート発行システム。
【請求項９】
請求項７または８に記載のレシート発行システムにおいて、
前記第１レシート発行機は、前記簡易レシートを、印刷媒体および電子データのうちの少なくとも一方の形態で発行し、
前記第２レシート発行機は、前記詳細レシートを、印刷媒体および電子データのうちの少なくとも一方の形態で発行することを特徴とするレシート発行システム。
【請求項１０】
請求項７ないし９のいずれかの項に記載のレシート発行システムにおいて、
前記レシートデータには、簡易レシート用データと、詳細レシート用データと、共通データが含まれ、
前記第１レシート発行機は、前記識別情報、前記簡易レシート用データおよび前記共通データを含む前記簡易レシートを発行し、
前記第２レシート発行機は、前記識別情報、前記詳細レシート用データおよび前記共通データを含む詳細レシートを発行することを特徴とするレシート発行システム。
【請求項１１】
請求項７ないし１０のいずれかの項に記載のレシート発行システムにおいて、
前記第２レシート発行機は、前記識別情報の入力に基づいて取得した前記レシートデータの内容に関連するサービスデータを生成または取得し、当該サービスデータを含んだ前記詳細レシートを発行することを特徴とするレシート発行システム。
【請求項１２】
ＰＯＳシステムと接続可能なレシート発行機であって、
前記ＰＯＳシステムにおいて取引の決済処理毎に生成される会計処理データを前記ＰＯＳシステムの端末から受け取り、当該会計処理データに前記会計処理を識別するための識別情報を付与してレシートデータを生成する処理と、前記識別情報を含む簡易レシートを発行する処理を行うことを特徴とするレシート発行機。
【請求項１３】
請求項１２に記載のレシート発行機であって、
前記簡易レシートを、印刷媒体および電子データのうちの少なくとも一方の形態で発行することを特徴とするレシート発行機。
【請求項１４】
ＰＯＳシステムにおいて取引の決済処理毎に生成される会計処理データを含む詳細レシートを発行するレシート発行機であって、
前記会計処理データを識別するために前記会計処理データ毎に付与された識別情報の入力を受け付けて、当該識別情報が付与されている前記レシートデータを前記レシートデータベースから取得する処理と、当該取得した前記レシートデータの少なくとも一部を含む詳細レシートを発行する処理を行うことを特徴とするレシート発行機。
【請求項１５】
請求項１４に記載のレシート発行機であって、
前記詳細レシートを、印刷媒体および電子データのうちの少なくとも一方の形態で発行することを特徴とするレシート発行機。
【発明の詳細な説明】
【技術分野】
【０００１】
本発明は、ＰＯＳシステムと連携可能であり、取引者の希望に応じた内容および態様のレシートを提供できるレシート発行方法およびレシート発行システム、並びにレシート発行機に関する。
【背景技術】
【０００２】
従来から小売店などの店舗に導入されているＰＯＳレジスタは、会計の際に、取引者に対して、購入品目名および単価などの購入明細情報が印刷されたレシートを発行するものであったが、このようなレシートを発行しても取引者が受け取らなかったり、受け取ってもその場で破棄する取引者も多く、レシートの要否についての取引者の要望が反映されていなかった。そこで、特許文献１に記載されているように、レジ打ちを行うオペレータあるいは取引者がレシート出力の要不要を入力できるＰＯＳレジスタが提案されている。このＰＯＳレジスタには、オペレータ側と取引者側にそれぞれレシート出力ボタンが設けられており、どちらかのレシート出力ボタンが押下された場合に限って、内蔵するレシートプリンタによりレシートが印刷されて発行される。
【０００３】
また、会計管理や家計簿作成は電子データ上で行われることも多いが、印刷媒体のレシートが提供された場合には、印刷されたデータを手入力して電子データ化しなければならないため、その作業に手間がかかると共に、入力ミスなどによる内容の不備が発生しやすいという問題点があった。そこで、特許文献２に記載されているように、電子レシートデータを店舗内プロセッサあるいは店舗内プロセッサにネットワークで接続された中央オフィスのデータベースに記録しておき、ネットワークを介して取引者のＰＣなどに電子レシートデータを送信するシステムが提案されている。このシステムでは、電子レシートデータにクーポン、購入品のマニュアル、宣伝広告用のマルチメディアファイルなどの付加情報を添付したり、複数の電子レシートデータの集積物やそれらの解析データを、取引者からアクセス可能な形式で保管することができる。
【特許文献１】特開２００１−２９１１６７号公報
【特許文献２】特開２００３−１２３１４４号公報
【発明の開示】
【発明が解決しようとする課題】
【０００４】
しかしながら、特許文献１のＰＯＳレジスタでは、会計の際にレシートを発行しないという選択肢はあるものの、購入品目別の明細などを省略した簡易版のレシートを発行してほしいという取引者の要望に応えることはできなかった。また、レシートを電子データの形態で提供してほしいという取引者の要望に応えることができなかった。また、特許文献１のＰＯＳレジスタを使用するためには、店舗において既存のレジスタ機自体を交換する必要があり、導入のための負担が大きかった。
【０００５】
また、特許文献２のシステムは、電子レシートデータを取引者に提供できるものの、購入品目別の明細などを省略した簡易版のレシートを会計の際にその場で発行してほしいという取引者の要望に応えることはできなかった。また、電子レシートデータの取引者への受け渡し方法として電子メールなどによる送信が提案されているが、この方法では、会計時あるいは会計前に、送信元であるシステム側に取引者のメールアドレスなどを登録する必要がある。よって、手続きが面倒であると共に、取引者側から個人情報を提供しなければならないという問題点があった。
【０００６】
本発明の課題は、このような点に鑑みて、購入品目別の明細などを省略した簡易版のレシートを発行することができ、更に、必要に応じて、取引者の希望に応じた内容のレシートを電子データあるいは印刷物などの取引者の希望に応じた態様で提供できるレシート発行方法およびレシート発行システム、並びにレシート発行機を提供することにある。
【課題を解決するための手段】
【０００７】
上記課題を解決するために、本発明のレシート発行方法は、
ＰＯＳシステムにおいて取引の決済処理毎に生成される会計処理データに、当該会計処理データを識別するための識別情報を付与してレシートデータを生成する第１工程と、
前記レシートデータをレシートデータベースに登録する第２工程と、
前記識別情報を含む簡易レシートを発行する第３工程と、
前記簡易レシートに含まれる前記識別情報の入力を受け付けて、当該識別情報が付与されている前記レシートデータを前記レシートデータベースから抽出する第４工程と、
前記第４工程において抽出された前記レシートデータの少なくとも一部を含む詳細レシートを発行する第５工程を行うことを特徴とする。
【０００８】
このように、本発明のレシート発行方法では、取引の決済処理毎に生成される会計処理データに識別情報を付与し、決済処理を行った取引者に、この識別情報を含む簡易レシートを発行できる。また、簡易レシートに記録された識別情報が入力されると、レシートデータベースからデータを抽出して、抽出したデータに基づき、取引明細などの詳細なデータを含む詳細レシートを発行できる。よって、取引者は、希望するときだけ詳細レシートを取得できる。
【０００９】
本発明のレシート発行方法において、前記識別情報の付与、および、前記簡易レシートの発行を、前記ＰＯＳシステムの端末に接続されている第１レシート発行機において行い、第２レシート発行機において、前記識別情報の入力受け付け、および、前記詳細レシートの発行を行うとよい。このようにすると、決済処理の際にその場で取引者に簡易レシートを発行できる。また、ＰＯＳシステム内の会計処理データを利用するものの、ＰＯＳシステムとは別のレシート発行機により簡易レシートや詳細レシートを発行するので、既存のＰＯＳシステムに対してほとんど変更を加える必要がなく、既存のＰＯＳシステムとの連携が容易である。
【００１０】
本発明のレシート発行方法において、前記レシートデータベースを管理する管理サーバに、前記第１工程において生成された前記レシートデータを前記第１レシート発行機から送ると共に、前記第４工程において入力された前記識別情報を前記第２レシート発行機から送り、前記管理サーバにおいて、前記第１レシート発行機から受け取った前記レシートデータの前記レシートデータベースへの登録、前記第２レシート発行機から受け取った前記識別情報に基づく前記レシートデータベースの検索、および、当該検索により抽出された前記レシートデータの前記第２レシート発行機への受け渡しを行うとよい。このように、管理サーバにおいてレシートデータベースを管理すれば、例えば、第２レシート発行機を複数の場所に設置してそれぞれを管理サーバと通信可能にすることができ、同じ詳細レシートの発行を複数の場所で受けられるようになる。また、チェーン店などの複数の店舗のそれぞれで生成されたレシートデータを、１箇所に集約して管理できる。
【００１１】
本発明のレシート発行方法において、前記簡易レシートおよび前記詳細レシートを、印刷媒体および電子データのうちの少なくとも一方の形態で発行するとよい。このようにすると、簡易レシートおよび詳細レシートを、取引者の希望する形態で発行できる。
【００１２】
本発明のレシート発行方法において、前記レシートデータを、簡易レシート用データと、詳細レシート用データと、共通データとに分け、前記簡易レシートに、前記識別情報、前記簡易レシート用データおよび前記共通データを含め、前記詳細レシートに、前記識別情報、前記詳細レシート用データおよび前記共通データを含めるとよい。このようにデータを区分すれば、簡易レシートおよび詳細レシートの発行の際には、これらのデータを出力用のフォーマットにおとしこむだけでよいので、簡易レシートおよび詳細レシートの発行処理が容易である。
【００１３】
本発明のレシート発行方法において、前記第４工程において抽出された前記レシートデータの内容に関連するサービスデータを、前記詳細レシートに含めるとよい。このようにすれば、取引内容に関連するサービスなどの様々な情報を提供できる。
【００１４】
また、上記課題を解決するために、本発明のレシート発行システムは、
ＰＯＳシステムと接続可能な第１レシート発行機と、第２レシート発行機を備えたレシート発行システムであって、
前記第１レシート発行機は、
前記ＰＯＳシステムにおいて取引の決済処理毎に生成される会計処理データを前記ＰＯＳシステムの端末から受け取り、当該会計処理データに前記会計処理を識別するための識別情報を付与してレシートデータを生成する処理と、前記識別情報を含む簡易レシートを発行する処理を行い、
前記レシートデータが登録されたレシートデータベースを、前記第１レシート発行機、前記第２レシート発行機、または管理サーバのいずれかにより管理し、
前記第２レシート発行機は、
前記簡易レシートに含まれる前記識別情報の入力を受け付けて、当該識別情報が付与されている前記レシートデータを前記レシートデータベースから取得する処理と、当該取得した前記レシートデータの少なくとも一部を含む詳細レシートを発行する処理を行うことを特徴とする。
【００１５】
また、本発明のレシート発行機は、
ＰＯＳシステムと接続可能なレシート発行機であって、
前記ＰＯＳシステムにおいて取引の決済処理毎に生成される会計処理データを前記ＰＯＳシステムの端末から受け取り、当該会計処理データに前記会計処理を識別するための識別情報を付与してレシートデータを生成する処理と、前記識別情報を含む簡易レシートを発行する処理を行うことを特徴とする。
【００１６】
また、本発明のレシート発行機は、
ＰＯＳシステムにおいて取引の決済処理毎に生成される会計処理データを含む詳細レシートを発行するレシート発行機であって、
前記会計処理データを識別するために前記会計処理データ毎に付与された識別情報の入力を受け付けて、当該識別情報が付与されている前記レシートデータを前記レシートデータベースから取得する処理と、当該取得した前記レシートデータの少なくとも一部を含む詳細レシートを発行する処理を行うことを特徴とする。
【００１７】
このように、本発明のレシート発行システムおよびレシート発行機は、取引の決済処理毎に生成される会計処理データに識別情報を付与し、決済処理を行った取引者に、この識別情報を含む簡易レシートを発行できる。また、簡易レシートに記録された識別情報が入力されると、レシートデータベースからデータを抽出して、抽出したデータに基づき、取引明細などの詳細なデータを含む詳細レシートを発行できる。よって、取引者は、希望するときだけ詳細レシートを取得できる。また、決済処理の際にその場で取引者に簡易レシートを発行できる。また、ＰＯＳシステム内の会計処理データを利用するものの、ＰＯＳシステムとは別のレシート発行機により簡易レシートや詳細レシートを発行するので、既存のＰＯＳシステムに対してほとんど変更を加える必要がなく、既存のＰＯＳシステムとの連携が容易である。
【００１８】
本発明のレシート発行システムにおいて、前記レシートデータベースを管理する前記管理サーバを備え、当該管理サーバは、前記第１レシート発行機から前記レシートデータを受け取って前記レシートデータベースに登録する処理と、前記第２レシート発行機から前記識別情報を受け取って当該識別情報に基づき前記レシートデータベースを検索する処理と、当該検索により抽出された前記レシートデータを前記第２レシート発行機へ受け渡す処理を行うとよい。このように、管理サーバにおいてレシートデータベースを管理すれば、例えば、第２レシート発行機を複数の場所に設置してそれぞれを管理サーバと通信可能にすることができ、同じ詳細レシートの発行を複数の場所で受けられるようになる。また、チェーン店などの複数の店舗のそれぞれで生成されたレシートデータを、１箇所に集約して管理できる。
【００１９】
本発明のレシート発行システムにおいて、前記第１レシート発行機は、前記簡易レシートを、印刷媒体および電子データのうちの少なくとも一方の形態で発行し、前記第２レシート発行機は、前記詳細レシートを、印刷媒体および電子データのうちの少なくとも一方の形態で発行するとよい。また、本発明のレシート発行機において、前記簡易レシートを、印刷媒体および電子データのうちの少なくとも一方の形態で発行するとよい。また、前記詳細レシートを、印刷媒体および電子データのうちの少なくとも一方の形態で発行するとよい。このようにすると、簡易レシートおよび詳細レシートを、取引者の希望する形態で発行できる。
【００２０】
本発明のレシート発行システムにおいて、前記レシートデータには、簡易レシート用データと、詳細レシート用データと、共通データが含まれ、前記第１レシート発行機は、前記識別情報、前記簡易レシート用データおよび前記共通データを含む前記簡易レシートを発行し、前記第２レシート発行機は、前記識別情報、前記詳細レシート用データおよび前記共通データを含む詳細レシートを発行するとよい。このようにデータを区分すれば、簡易レシートおよび詳細レシートの発行処理が容易である。
【００２１】
本発明のレシート発行システムにおいて、前記第２レシート発行機は、前記識別情報の入力に基づいて取得した前記レシートデータの内容に関連するサービスデータを生成または取得し、当該サービスデータを含んだ前記詳細レシートを発行するとよい。このようにすれば、取引内容に関連するサービスなどの様々な情報を提供できる。
【発明の効果】
【００２２】
本発明では、取引の決済処理毎に生成される会計処理データに識別情報を付与し、決済処理を行った取引者に、この識別情報を含む簡易レシートを発行できる。また、簡易レシートに記録された識別情報が入力されると、レシートデータベースからデータを抽出して、抽出したデータに基づき、取引明細などの詳細なデータを含む詳細レシートを発行できる。よって、取引者は、希望するときだけ詳細レシートを取得できる。
【発明を実施するための最良の形態】
【００２３】
以下、本発明を適用したレシート発行方法およびレシート発行システムの実施の形態について説明する。
【００２４】
（レシート発行システムの構成）
図１は本実施形態のレシート発行システムの構成図である。この図に示すように、レシート発行システムＳは、２台のレシートプリンタ１０，２０（第１レシート発行機，第２レシート発行機）と、レシートプリンタ１０および２０に接続された管理サーバ３０を備えている。レシートプリンタ１０は、小売店などの店舗のレジカウンターに設置されており、店舗におけるＰＯＳシステムの端末装置であるＰＯＳレジスタ４０に接続されている。このレシートプリンタ１０は、ＰＯＳレジスタ４０と同様に、会計オペレータによって操作される。もう１台のレシートプリンタ２０は、店舗におけるレジカウンターとは別の場所に設置されており、この店舗で商品やサービスを購入した取引者によって利用される。管理サーバ３０は、店舗の施設内ネットワークを介してレシートプリンタ１０，２０と接続されており、例えば、店舗のシステム管理室などに設置されている。
【００２５】
レシート発行システムＳは、上記のような店舗内システムではなく、複数の店舗にまたがって設置され、外部ネットワークあるいは専用回線により互いに接続されたシステムにすることもできる。この場合には、管理サーバ３０を外部の管理センタなどに設置し、施設外のネットワーク回線により管理サーバ３０とレシートプリンタ１０，２０を接続する。レシートプリンタ１０，２０は複数の店舗にそれぞれ配置されており、それぞれが管理サーバ３０と接続される。各店舗においてレシートプリンタ１０に接続されるＰＯＳレジスタ４０は、同一のＰＯＳシステム内の端末であってもよいし、別々のＰＯＳシステムの端末であってもよい。ＰＯＳレジスタ４０は、レシートプリンタ１０が利用可能な形式でレシートプリンタ１０に会計処理データを受け渡すことができるものであればよい。また、レシート発行システムＳは、レシートプリンタ２０をレシートプリンタ１０が設置された全ての店舗に設置せず、一部の店舗のみに設置する構成であってもよい。
【００２６】
レシートプリンタ１０は、店舗における決済処理の際に、取引者に対して従来のような詳細なレシートは発行しない代わりに、取引者が後から詳細なレシートデータを入手できるようにするための最小限の情報を記載した簡易レシートＡを発行する。図２はレシート発行システムＳのブロック図である。レシートプリンタ１０は、ＰＯＳレジスタ４０および管理サーバ３０との間でデータの送受信を行うための通信部１１と、簡易レシートＡを印刷し発行するためのプリンタ部１２と、携帯電話やＰＤＡなどの携帯端末機器との間でデータ通信を行うための赤外線通信部１３と、操作ボタンやキーボードなどの操作部１４と、小型液晶パネルなどの表示部１５と、レシートプリンタ１０を構成する上記各部を制御するための制御部１６などを備えている。
【００２７】
制御部１６は、ＣＰＵや各周辺回路との信号を取り扱うゲートアレイあるいはカスタムＬＳＩなどの論理回路を備えた処理部と、ＲＡＭおよびＲＯＭなどの記憶部を備えており、記憶部に記憶された制御プログラムに基づいて各種処理を行い、制御信号を出力する。また、制御部１６は、管理サーバ３０と通信を行うことにより、管理サーバ３０内の制御プログラムに基づいて処理を行うこともできる。
【００２８】
レシートプリンタ２０は、レシートプリンタ１０から発行された簡易レシートＡを持った取引者が、この簡易レシートＡに含まれる会計処理ＩＤなどの識別情報に基づき、詳細なレシートデータが記録された詳細レシートを取得するための装置である。レシートプリンタ２０は、管理サーバ３０との間でデータの送受信を行うための通信部２１と、後述する詳細レシートＢを印刷し発行するためのプリンタ部２２と、携帯電話やＰＤＡなどの携帯端末機器との間でデータ通信を行うための赤外線通信部２３と、操作ボタンやキーボードなどの操作部２４と、小型液晶パネルなどの表示部２５と、レシートプリンタ２０を構成する上記各部を制御するためのＣＰＵや各種回路およびＲＡＭ，ＲＯＭなどを備えた制御部２６などを備えている。通信部２１は、施設内ネットワークのほか、インターネットなどの外部のネットワーク回線を介してレシートプリンタ２０へのデータの入出力を行うこともできる。
【００２９】
管理サーバ３０は、レシートプリンタ１０，２０との間でデータの送受信を行うための通信部、ＣＰＵなどの処理部、およびＲＡＭ、ＲＯＭ、ＨＤＤなどの記憶部などを備えたコンピュータである。また、管理サーバ３０は、一般的なコンピュータ装置と同様に、液晶モニタなどの表示部やキーボードなどの操作部を備えていてもよい。管理サーバ３０内の記憶部には、後述するレシートデータベース６０が記憶保持されている。管理サーバ３０は、ＰＯＳレジスタ４０を端末装置とするＰＯＳシステムとは独立に制御されており、管理サーバ３０で行われる処理は、ＰＯＳシステム側におけるデータベースなどの内容に影響しない。また、管理サーバ３０で行われる処理は、ＰＯＳシステム側の機能を利用せずに行うことができる。すなわち、管理サーバ３０におけるレシートデータベース６０の管理は、ＰＯＳシステムから独立し行われている。
【００３０】
（レシート発行方法）
次に、上記構成のレシート発行システムＳにより行われるレシート発行方法における各工程について説明する。図３は本実施形態のレシート発行方法のフローチャートである。
【００３１】
（１）第１工程：Ｓ１
本工程では、レシートプリンタ１０において、以下説明する内容のレシートデータ生成処理を行う。レシートプリンタ１０の制御部１６は、ＰＯＳレジスタ４０において会計処理が行われると、通信部１１を介してＰＯＳレジスタ４０から会計処理データを取得する。そこで、まず、ＰＯＳレジスタ４０における会計処理データの生成およびそのレシートプリンタ１０への受け渡しについて説明する。ＰＯＳレジスタ４０には、会計処理の際に、取引者が購入した商品あるいはサービスの全てについて、購入品目の内容を特定可能な購入品目特定情報および数量が、バーコードリーダによる情報の読み取りあるいは手入力などの方法で入力される。ＰＯＳレジスタ４０では、入力された購入品目特定情報に基づき、ＰＯＳシステム内に記憶保持されている商品マスタなどのデータベースから、各購入品目別に、その単価データ、および、必要であれば会計処理に用いる各種情報を抽出し、購入総計額を算出する。なお、購入総計額の算出処理をＰＯＳシステム内の管理サーバなどにおいて行い、処理済のデータをＰＯＳレジスタ４０で受信してもよい。
【００３２】
ＰＯＳレジスタ４０は、今回の会計処理を行うために入力、使用、あるいは生成した会計処理データを、自動的に、あるいはレシートプリンタ１０からの要求信号に応じて、レシートプリンタ１０において処理可能なデータ形式で出力する。出力されたデータは、通信部１１に入力され、内部バスなどから制御部１６に取り込まれる。ＰＯＳレジスタ４０から出力される会計処理データには、今回の会計処理における全購入品目についての数量および購入額（以下、購入明細という）および購入総計額と共に、今回の会計処理を行った日時、今回の会計処理を行った店舗名、今回の会計処理を行ったＰＯＳレジスタ４０の識別番号、レジ打ちを行った会計オペレータの名前あるいは識別番号、などの情報が含まれる。また、現金払いかクレジットカード利用かなどの支払い方法に関する情報や、取引者が会計時にポイントカードなどを提示したりクーポンなどを利用した場合にはそれらの情報を含めてもよい。さらに、今回の購入品目に関連して商品マスタに登録されている様々な付帯情報を含めてもよい。例えば、購入品目についての生産・流通の履歴などを付帯情報として含めてもよい。
【００３３】
制御部１６は、入力された会計処理データに、当該会計処理データを一意に特定可能な識別情報を付与することにより、レシートデータを生成する。識別情報には、今回行った会計処理と一対一対応する文字列である会計処理ＩＤと、この会計処理ＩＤに対して一対一対応する文字列であるパスワードからなる１組の情報を用いることができる。会計処理ＩＤは、例えば、会計処理データに対してＰＯＳレジスタ４０から取り込まれた順に規則的に割り当てられる文字列である。また、パスワードは、レシートデータの生成ごとにランダムあるいは擬似ランダムに生成される文字列である。会計処理ＩＤおよびパスワードは、レシートデータへのアクセス権を確認するための識別情報として用いられる。なお、識別情報として会計処理ＩＤのみを付与してパスワードについては省略してもよいが、不正アクセスを困難にするためには、会計処理ＩＤとパスワードの組み合わせを用いた方がよい。
【００３４】
制御部１６は、ＰＯＳレジスタ４０からの会計処理データの取り込みおよびレシートデータの生成が正常に終了した場合には、以下に説明するレシートデータ出力処理および簡易レシート発行処理を行う。これらの処理は並行して行ってもよく、どちらの処理を先に行っても良い。なお、会計処理データの取り込みおよびレシートデータの生成が正常に行われなかった場合には、表示部１５にエラー信号を出力してこの処理を終了する。
【００３５】
（２）第２工程：Ｓ２
（２−１）レシートデータ出力処理
本工程では、まず、レシートプリンタ１０においてレシートデータ出力処理を行う。制御部１６は、上記レシートデータ生成処理が正常に完了した場合には、生成したレシートデータを管理サーバ３０に出力する。管理サーバ３０は、施設内ネットワークあるいは外部ネットワークに接続されている。そこで、ＰＯＳシステムから取得した会計処理データの外部への流出を防止するために、レシートプリンタ１０から管理サーバ３０へのレシートデータの受け渡しを行う際には、通信データを暗号化する処理を行う。例えば、レシートプリンタ１０と管理サーバ３０との間で暗号化キーおよび復号化キーを設定しておき、この暗号化キーおよび復号化キーをレシートプリンタ１０および管理サーバ３０において外部に流出しないように管理する。また、制御部１６および管理サーバ３０の制御部に、暗号化および復号化を行うためのプログラムを記憶させておく。これにより、制御部１６は、レシートデータを暗号化して管理サーバ３０に出力できる。
【００３６】
（２−２）レシートデータ登録処理
続いて、本工程では、管理サーバ３０において、レシートデータ登録処理を行う。管理サーバ３０の制御部は、レシートプリンタ１０から暗号化済みの新たなレシートデータが入力されたことにより、この暗号化データを暗号化プログラムおよび復号化キーを用いて復号化する。そして、復号化されたレシートデータをレシートデータベース６０に追加登録する。レシートデータベース６０には、復号化されたレシートデータに含まれる会計処理データと識別情報が、１件のデータレコードとして互いに関連付けられて登録される。なお、レシート発行システムＳを複数のレシートプリンタ１０を管理サーバ３０に接続する構成にした場合には、レシートデータベース６０は、複数のレシートプリンタ１０からのレシートデータを１箇所で集約して管理するものとなる。従って、このような場合には、複数のレシートプリンタ１０において、互いに重複しないように会計処理ＩＤを付与する。
【００３７】
（３）第３工程：Ｓ３
本工程では、レシートプリンタ１０において、以下に説明する簡易レシート発行処理を行う。レシートプリンタ１０の制御部１６は、上記レシートデータ生成処理によって生成されたレシートデータから所定のデータを抽出して、印刷媒体あるいは電子データの形態で、簡易レシートＡを発行する。制御部１６は、まず、会計処理データの取り込みおよびレシートデータの生成が正常に終了した後に表示部１５に制御信号を出力し、取引者に、簡易レシートＡを印刷媒体と電子データのどちらの発行形態で発行するかの選択を促す旨の表示を行う。操作部１４において取引者がどちらかの発行形態を選択する旨の入力を行うと、制御部１６は、当該入力に基づいて簡易レシートＡの発行を行う。
【００３８】
まず、印刷媒体による発行が選択された場合の処理について説明する。制御部１６は、レシートデータから抽出したデータをドライバなどにより簡易レシート印刷用のデータに変換し、変換後のデータを印刷用の制御信号と共にプリンタ部１２に出力する。図４（ａ）（ｂ）に本実施形態における簡易レシートＡを示す。図４（ａ）の簡易レシートＡには、レシートデータに含まれる情報のうち、会計処理ＩＤ、パスワード、購入総計額、店舗名、会計処理の日時の５つの情報が印刷されている。すなわち、制御部１６は、レシートデータからこれらのデータを抽出して簡易レシート印刷用のデータとして用いる。プリンタ部１２は、内蔵するロール紙を紙送り機構などによりプリンタヘッド側に送り出し、ロール紙に上記５つの情報を所定のレイアウトで印刷する。そして、レシート発行口からレシートプリンタ１０の外部に送り出されたロール紙の印刷部分を、切断機構などによって切り離す。これにより、印刷媒体での簡易レシートＡの発行が完了する。切り離された簡易レシートＡは、会計オペレータによって取引者に手渡される。
【００３９】
制御部１６は、簡易レシートＡに、上記５つの情報以外の情報を必要に応じて印刷する。例えば、図４（ａ）に示すように、「お買い上げ、ありがとうございました」などの取引者に対するメッセージと、取引者にインターネット経由でレシートデータを提供するためのＵＲＬアドレスを簡易レシートＡに印刷することができる。また、図４（ｂ）は、識別情報として会計処理ＩＤのみが付与された場合の簡易レシートＡである。この場合には、パスワードは印字されていない。また、この簡易レシートＡにはＵＲＬアドレスは記載されていない。すなわち、この場合には、後述するインターネット経由でのレシートデータの提供は行われず、レシートプリンタ２０のみから詳細なレシートデータの提供を受けることができる。
【００４０】
次に、電子データによる発行が選択された場合の処理について説明する。制御部１６は、赤外線通信部１３を介して取引者の携帯電話やＰＤＡなどの携帯端末５０との間で通信を行い、簡易レシートＡを発行する。すなわち、会計オペレータあるいは取引者が取引者の携帯端末５０を赤外線通信部１３にセットした後、操作部１４からデータ送信開始指示を入力すると、制御部１６は、図４（ａ）（ｂ）に示した印刷媒体による簡易レシートＡの表示内容と同一の内容を携帯端末５０の画面に表示するためのデータファイルを携帯端末５０で読み取り可能な形式で作成し、携帯端末５０に出力する。これにより、電子データでの簡易レシートＡの発行が完了する。携帯端末５０では、受信したファイルを自動的にあるいは取引者の操作に応じて開き、簡易レシートＡを表示する。なお、電子データには、ロール紙の面積のようなスペースの制限がないので、電子データで発行する簡易レシートＡに、紙の簡易レシートＡなどに印刷された内容よりも多くの情報を含めてもよい。
【００４１】
（４）第４工程：Ｓ４
（４−１）レシートデータ要求処理
本実施形態では、レシートデータを保持するレシートデータベース６０は、レシートプリンタ２０ではなく管理サーバ３０に記憶保持されている。そこで、本工程では、レシートプリンタ２０は、詳細なレシートデータを出力するために、まず、管理サーバ３０から必要なレシートデータを取得する。そのために、レシートプリンタ２０から管理サーバ３０に対して、必要なレシートデータを特定する識別情報、すなわち、会計処理ＩＤおよびパスワードを含んだレシートデータ抽出要求を出力する。
【００４２】
まず、レシートプリンタ２０に、簡易レシートＡに記録されている会計処理ＩＤおよびパスワードが入力される。具体的には、印刷された簡易レシートＡを持った取引者は、操作部２４を操作して、表示部２５に表示される入力指示に従い、会計処理ＩＤおよびパスワードを含む必要情報をレシートプリンタ２０に入力する。また、電子データでの簡易レシートＡの提供を受けた取引者は、赤外線通信部２３に携帯端末をセットする。そして、表示部２５あるいは携帯端末における表示に従って操作を行い、会計処理ＩＤおよびパスワードを含む必要情報をレシートプリンタ２０に入力する。制御部２６は、これらの情報が入力されたことに基づいてレシートデータ抽出要求を生成し、レシートプリンタ２０から管理サーバ３０に出力する。
【００４３】
（４−２）レシートデータ検索処理
続いて、本工程では、管理サーバ３０において、レシートデータ検索処理を行う。管理サーバ３０は、レシートプリンタ２０側からレシートデータ抽出要求が入力されたことにより、このレシートデータ抽出要求に含まれる会計処理ＩＤを検索キーとして、レシートデータベース６０内のデータを検索する。すなわち、管理サーバ３０は、レシートデータベース内における識別情報のデータの中から、検索対象である会計処理ＩＤと一致する文字列を検索して、この会計処理ＩＤを含むデータレコードを抽出するための検索プログラムを有している。
【００４４】
また、管理サーバ３０は、検索対象である会計処理ＩＤと一致するデータを含むデータレコードが検出された場合には、レシートデータ抽出要求に含まれるパスワードと、検出されたデータレコードに含まれるパスワードが一致するか否かの判定を行う。一致すると判定した場合には、管理サーバ３０は、このレシートデータ抽出要求が正規のものであるとして、検出されたデータレコード内のレシートデータを、レシートプリンタ２０に出力する。なお、この際、管理サーバ３０はレシートデータを暗号化してレシートプリンタ２０に出力する。一方、パスワードが検出されたデータレコードに含まれるものと一致しない場合には、不正な抽出要求であるとして処理を中止し、不正アクセスに対する警告信号などをレシートプリンタ２０に出力する。また、検索対象である会計処理ＩＤと一致するデータを含むデータレコードが検出されなかった場合には、エラー信号などを出力して処理を中止する。なお、識別情報として会計処理ＩＤのみを生成し、パスワードを用いないように本システムを構成した場合には、レシートデータ抽出要求が正規のものであるか否かの判断を行わないようにする。
【００４５】
（５）第５工程：Ｓ５
本工程では、レシートプリンタ２０において、以下に説明する詳細レシート発行処理を行う。レシートプリンタ２０の制御部２６は、表示部２５に、取引者に詳細レシートの発行形態を選択させるための表示を行う。発行形態は、例えば、印刷媒体による発行、電子データによる提供、あるいは、表示部２５への表示、などの選択肢がある。取引者により、操作部２４に出力形態を選択する入力がなされた場合には、制御部２６は、当該入力に基づいて詳細レシートＢの発行を行う。
【００４６】
図５は印刷媒体により発行された詳細レシートＢを示す図である。この図に示すように、詳細レシートＢには、簡易レシートＡには含まれていなかった購入明細が印字されている。制御部２６は、管理サーバ３０から受け取ったレシートデータから購入明細を含むデータを抽出してドライバなどにより詳細レシート印刷用のデータに変換し、変換後のデータを印刷用の制御信号と共にプリンタ部２２に出力する。プリンタ部２２は、内蔵するロール紙を紙送り機構などによりプリンタヘッド側に送り出して、このロール紙上に、購入明細含むレシートデータの内容を所定のレイアウトで印刷する。そして、ロール紙の印刷部分をレシート発行口からレシートプリンタ２０の外部に送り出し、切断機構などによって印刷部分を切り離して、発行トレイなどの上に載せる。これにより、詳細レシートＢの発行が完了する。
【００４７】
取引者が詳細レシートＢの電子データによる提供を選択した場合には、簡易レシートＡの提供の際と同様の操作により、電子レシートデータの受け渡しを行う。すなわち、取引者が携帯端末５０を赤外線通信部２３にセットした後、操作部２４からデータ送信開始指示を入力すると、制御部２６は、印刷媒体による詳細レシートＢの表示内容と同一の内容を携帯端末５０の画面に表示するためのデータファイルを携帯端末５０で読み取り可能な形式で作成し、携帯端末５０に出力する。これにより、電子データでの詳細レシートＢの発行が完了する。電子データによる詳細レシートＢは、ロール紙に印刷する場合のようにスペースの制限がないので、より多くの付帯情報を含んだものにすることができる。
【００４８】
詳細レシートＢを紙や電子データで出力せずにその内容を表示させる処理を選択した場合には、印刷媒体による詳細レシートＢの表示内容と同一の内容を表示するためのレイアウトデータを生成し、レシートプリンタ２０の表示部２５に表示する。なお、このように詳細レシートＢの内容を表示部２５において確認した後に、取引者が紙あるいは電子データでの詳細レシートＢの発行を選択できるようにしてもよい。
【００４９】
また、本実施形態では、レシートプリンタ２０へのインターネットなどの外部のネットワーク回線を介してのアクセスが可能になっている。また、制御部２６は管理サーバアプリケーションを実行する機能を有しており、レシートプリンタ２０をウェブ管理サーバとして機能させることができる。これにより、本実施形態では、取引者がレシートプリンタ２０を直接操作せずに、ネットワーク経由でレシートプリンタ２０にアクセスして、取引者の自宅や職場などにおいて、詳細レシートＢの内容表示や電子データによる提供を受けることができる。
【００５０】
例えば、図４（ａ）の簡易レシートＡには、詳細レシートＢの提供をネットワーク経由で受けるためのＵＲＬアドレスが含まれている。取引者が自宅や会社などのパソコン７０からこのＵＲＬアドレスにアクセスした場合には、取引者側のパソコン７０に、詳細レシートを取得するための会計処理ＩＤおよびパスワードなどの入力画面を表示させる。取引者がこの画面で必要な情報を入力すると、当該データはネットワーク経由でレシートプリンタ２０に送信される。レシートプリンタ２０は、この入力データに基づいて（４）のレシートデータ抽出処理を行い、レシートデータを取得する。そして、詳細レシートＢの提供用のデータを生成すると共に、取引者側のパソコンに表示された画面に、詳細レシートＢを画面表示させるための表示ボタンや、電子データのダウンロードボタンなどを表示する。取引者側のパソコン７０で所望のボタンをクリックすると、詳細レシートＢの画面表示や電子データのダウンロードが行われる。
【００５１】
（本実施形態の効果）
以上のように、本実施形態では、レシートプリンタ１０は、取引の決済処理毎に生成される会計処理データをＰＯＳシステムから取得して会計処理ＩＤなどの識別情報を付与し、決済処理を行った取引者に、会計処理ＩＤなどを含む簡易レシートＡを発行できる。また、簡易レシートＡに記録された会計処理ＩＤなどがレシートプリンタ２０に入力されると、会計処理ＩＤを検索キーとしてレシートデータベース６０からレシートデータを抽出して、取引明細などの詳細なデータを含む詳細レシートＢを発行できる。よって、取引者は、希望するときだけ詳細レシートＢを取得できる。
【００５２】
また、簡易レシートＡおよび詳細レシートＢは、ＰＯＳシステム内の会計処理データを利用して発行されるものの、ＰＯＳシステムとは別のレシートプリンタ１０，２０により発行されるので、既存のＰＯＳシステムに対してほとんど変更を加える必要がない。よって、既存のＰＯＳシステムとの連携が容易である。
【００５３】
また、本実施形態では、簡易レシートＡあるいは詳細レシートＢを、取引者の希望に応じて、印刷物や電子データ、あるいは画面上への表示などのさまざまな形態で提供できる。また、レジカウンタにおいて決済処理後にすぐ簡易レシートＡを受け取ることができ、同一店舗内において所望のタイミングで詳細レシートＢの発行を受けられる。さらに、ネットワーク経由での詳細レシートの閲覧や発行も可能であるので、取引者にとっての利便性が高い。
【００５４】
（改変例）
上記実施形態は、以下のように改変することができる。
（ａ）上記実施形態において、上記各形態により提供される詳細レシートＢに、レシートデータに含まれる購入明細以外のデータを付加することができる。例えば、購入品目についての付帯情報、例えば、生産元や生産時期などの生産・流通履歴に関するデータを、詳細レシートＢ上に印刷したり、詳細レシートＢと共に表示したり、あるいは詳細レシートＢの電子データに付加してもよい。また、レシートプリンタ２０において、レシートデータの内容に基づいてサービスデータなどの付帯情報を生成し、これを詳細レシートＢに付加して発行してもよい。例えば、購入店舗や購入品目などに基づき、これらに関連する新商品入荷や安売りセールなどの広告、あるいは次回来店時に使えるクーポンなどを付加してもよい。また、会計時にクレジットカードを使用したりポイントカードなどを提示した場合には、クレジット利用に関連した情報や、ポイントに関連した情報を付加してもよい。なお、これらの情報は、詳細レシートＢに直接印刷してもよいし、これらの情報にアクセスするためのＵＲＬアドレスや二次元コードなどを印刷しておいてもよい。また、電子データで発行する場合には、添付ファイルなどによってサービスデータを付加することもできる。
【００５５】
また、ネットワーク経由で取引者のパソコンに詳細レシートＢを発行する場合には、さらに別のサービスデータを提供することもできる。例えば、詳細レシートＢのデータをレシートプリンタ２０側で家計簿用のデータに変換して取引者側のパソコンからダウンロード可能にしたり、複数の詳細レシートＢのデータをレシートプリンタ２０側で集計したり解析して集計あるいは解析後のデータを取引者側のパソコンからダウンロード可能にしたり、詳細レシートＢのデータやその集計／解析データ、家計簿や会計簿用に変換されたデータ、などを管理サーバ３０側に送信して保管するなどのサービスについての情報を、詳細レシートＢに付加して提供することができる。また、レシートプリンタ２０において直接このようなサービスを提供してもよいし、レシートプリンタ２０を外部のサービス会社の管理サーバとネットワークで接続し、サービス会社の管理サーバの機能を利用してサービスを提供してもよい。
【００５６】
（ｂ）上記実施形態において、レシートデータが、取引者を識別するための取引者識別情報を含むようにしてもよい。例えば、取引者が会計処理の際にクレジットカードやポイントカードなどの取引者識別情報を記憶した情報担体を提示した場合には、ＰＯＳレジスタ４０を介して、レシートプリンタ１０により、この情報担体から取引者識別情報を取得し、レシートデータに付加する。また、管理サーバ３０には、レシートデータベース６０内のデータレコードを、取引者識別情報を検索キーとして検索する検索機能を持たせる。そして、レシートプリンタ２０には、識別情報と取引者識別情報のいずれかが入力された場合に、レシート抽出要求処理を行わせるようにする。取引者識別情報を検索キーとした場合には、複数のレシートデータが抽出されるので、その際には、レシートプリンタ２０側で、さらに、どのレシートデータについての詳細レシートを出力するかを選択できるようにしてもよい。
【００５７】
また、このように、レシートデータに取引者識別情報が付加されていれば、上記（ａ）の改変例で述べたようなサービスデータを、取引者別に生成して詳細レシートＢに付加して提供することができる。例えば、複数のレシートデータから取引者の購入傾向や嗜好などを分析して広告やクーポンなどのサービスデータを生成すれば、より効果の高いサービスデータを生成できる。また、レシートデータに取引者識別情報が付加されていれば、家計簿用のデータの生成やレシートデータの集計／解析、あるいはこれらのデータの保管などのサービスの提供が容易である。
【００５８】
（ｃ）上記実施形態において、管理サーバ３０とレシートプリンタ２０を一対一で設置している場合には、管理サーバ３０を省略して、レシートプリンタ２０内にレシートデータベース６０を記憶させてもよい。また、レシートプリンタ１０内にレシートデータベース６０を記憶させる構成にすることも可能である。
【００５９】
（ｄ）上記実施形態において、レシートデータベース６０に登録される各レシートデータを、簡易レシートＡ専用のデータ、詳細レシートＢ専用のデータ、両レシートに共通なデータ、の３種類に区分し、１つのデータレコードに登録してもよい。例えば、簡易レシートＡ専用のデータを会計処理ＩＤおよびパスワードのデータとし、詳細レシートＢ専用のデータを購入明細データやサービスデータのデータとし、共通データを購入総計額、店舗名、会計処理日時などのデータとする。このように予めデータを区分しておけば、簡易レシートおよび詳細レシートの発行処理が容易である。
【図面の簡単な説明】
【００６０】
【図１】本発明に係るレシート発行システムの構成図である。
【図２】本発明に係るレシート発行システムのブロック図である。
【図３】本発明に係るレシート発行方法のフローチャートである。
【図４】簡易レシートの説明図である。
【図５】詳細レシートの説明図である。
【符号の説明】
【００６１】
１０…レシートプリンタ（第１レシート発行機）、１１…通信部、１２…プリンタ部、１３…赤外線通信部、１４…操作部、１５…表示部、１６…制御部、２０…レシートプリンタ（第２レシート発行機）、２１…通信部、２２…プリンタ部、２３…赤外線通信部、２４…操作部、２５…表示部、２６…制御部、３０…管理サーバ、４０…ＰＯＳレジスタ、５０…携帯端末、６０…レシートデータベース、７０…パソコン、Ａ…簡易レシート、Ｂ…詳細レシート、Ｓ…レシート発行システム
【図１】
2009151518.tif 000003
【図２】
2009151518.tif 000004
【図３】
2009151518.tif 000005
【図４】
2009151518.tif 000006
【図５】
2009151518.tif 000007